(57)【要約】      （修正有）【課題】着用者の外耳道の入口側の内周面との密着性を高めて低音を強調することができるインイヤー型イヤホン用のカバーを提供する。【解決手段】音を出力すべく表面で開口する音出口ＳＨが形成されたハウジングを備えたインイヤー型イヤホン用のカバー１であって、ハウジングに被せる本体部と、柔軟性を有する筒状の遮蔽部３とを備える。本体部には、音出口から出力された音を外部に導くための音導路Ｒが形成される。遮蔽部は、内部に音導路が位置するように形成された筒状であり、且つ、軸線方向における先端部側が軸線方向における基端部側よりも細くなるテーパー形状である。【選択図】図６
2018207449.tif 000002
【特許請求の範囲】
【請求項１】
音を出力すべく表面で開口する音出口が形成されたハウジングを備えたインイヤー型イヤホン用のカバーであって、前記ハウジングに被せる本体部と、柔軟性を有する筒状の遮蔽部とを備え、前記本体部には、前記音出口から出力された音を外部に導くための音導路が形成され、前記遮蔽部は、内部に前記音導路が位置するように形成された筒状であり、且つ軸線方向における先端部側が軸線方向における基端部側よりも細くなるテーパー形状であるインイヤー型イヤホン用のカバー。
【請求項２】
前記本体部は、前記ハウジングに被せて装着する装着部であって、前記音出口の配置位置に合わせて導入口が形成された装着部と、該装着部の導入口周り全周から延出する管状の音導管部であって、前記音導路を構成する音導管部とを有し、前記音導管部は、前記遮蔽部内を通るように形成されている請求項１に記載のインイヤー型イヤホン用のカバー。
【請求項３】
前記音導管部の基端部は、径方向における断面形状が楕円環状であり、前記音導管部の先端部は、径方向における断面形状が真円環状又は略真円環状であり、前記遮蔽部の前記軸線方向における先端が前記音導管部の先端部側に接続されている請求項２に記載のインイヤー型イヤホン用のカバー。
【発明の詳細な説明】
【技術分野】
【０００１】
本発明は、インイヤー型イヤホンに取り付けて音質を変えるインイヤー型イヤホン用のカバーに関する
【背景技術】
【０００２】
従来から、例えば、特許文献１に開示されているようなインイヤー型のイヤホン（以下、イヤホンと称する）が提供されている。
【０００３】
かかるイヤホンは、スピーカーの役割を担う駆動体が内蔵されたハウジングを備えており、該ハウジングには、耳甲腔に嵌め込まれる本体部分と、該本体部分に設けられ且つ該本体部分が耳甲腔に嵌め込まれた状態で外耳道に向けて配置される先端部分とが含まれている。
【０００４】
先端部分は、先絞り形状になっており、先端にはハウジング内の音を外部に出力するための音出口が形成されている。
【０００５】
このように、前記イヤホンでは、先端部分が先絞りの形状であるため、本体部分を耳甲腔に嵌め込んで音出口を外耳道に向けた時に先端部分が着用者の耳を圧迫し難くなり、これにより、着け心地の良さを高めることができるとされている。
【先行技術文献】
【特許文献】
【０００６】
【特許文献１】特許５６９５７０３号公報
【発明の概要】
【発明が解決しようとする課題】
【０００７】
ところで、従来のイヤホンは、着け心地の良さが高まる一方、先端部分と着用者の外耳道の入口側の内周面との密着性が低くなるため、低音が先端部分と外耳道の入口側の内周面との間を通じて外部に漏れやすくなる。そのため、低音の音圧が下がり易くなるため、音の迫力が欠けてしまうことがあった。
【０００８】
このような事情から、ユーザーからは、手持ちのイヤホンで低音を強調した迫力のある音を手軽に楽しみたいという要望がある。
【０００９】
そこで、本発明は、着用者の外耳道の入口側の内周面との密着性を高めて低音を強調することができるインイヤー型イヤホン用のカバーを提供することを課題とする。
【課題を解決するための手段】
【００１０】
本発明のインイヤー型イヤホン用のカバーは、音を出力すべく表面で開口する音出口が形成されたハウジングを備えたインイヤー型イヤホン用のカバーであって、前記ハウジングに被せる本体部と、柔軟性を有する筒状の遮蔽部とを備え、前記本体部には、前記音出口から出力された音を外部に導くための音導路が形成され、前記遮蔽部は、内部に前記音導路が位置するように形成された筒状であり、且つ軸線方向における先端部側が軸線方向における基端部側よりも細くなるテーパー形状である。
【００１１】
かかる構成によれば、音導路の位置をイヤホンの音出口の位置に合わせるようにして本体部をハウジングに被せた後、該ハウジングを耳甲腔に嵌め込んだ状態で音導路を外耳道に向けると、遮蔽部の先端部側も外耳道に向けて配置される。
【００１２】
また、遮蔽部は、軸線方向（遮蔽部の軸線方向）における先端部側が軸線方向における基端部側よりも細くなるテーパー形状であるため、音導路の周りにおいて、遮蔽部が外耳道の入口側の内周面全周に亘って密着する。
【００１３】
従って、前記インイヤー型イヤホン用のカバーでは、音出口から出力された音が、外耳道の入口側の内周面全周に亘って密着している遮蔽部内に位置する音導路を通って外耳道内に伝わるため、低音が外耳道の外部に漏れてしまうことを抑えることができる。
【００１４】
また、本発明のインイヤー型イヤホン用のカバーにおいて、前記本体部は、前記ハウジングに被せて装着する装着部であって、前記音出口の配置位置に合わせて導入口が形成された装着部と、該装着部の導入口周り全周から延出する管状の音導管部であって、前記音導路を構成する音導管部とを有し、前記音導管部は、前記遮蔽部内を通るように形成されている。
【００１５】
かかる構成によれば、装着部をハウジングに被せて装着すると、音導管部がハウジングの表面から突出するように配置されるため、該音導管部の内部が空洞になる。
【００１６】
そのため、前記インイヤー型イヤホン用のカバーでは、イヤホンのハウジングを耳甲腔に嵌め込んだ状態で音導路（音導管部の先端）を外耳道に向ける際に、音導管部の形状を変形させ易くすることができ、これにより、遮蔽部を外耳道の入口側の内周面全周に亘って密着させ易くなる。
【００１７】
この場合、前記音導管部の基端部は、径方向における断面形状が楕円環状であり、前記音導管部の先端部は、径方向における断面形状が真円環状又は略真円環状であり、前記遮蔽部の前記軸線方向における先端が前記音導管部の先端部側に接続されていても良い。
【００１８】
かかる構成によれば、音導管部の基端部の径方向における断面形状を楕円環状とするとともに、音導管部の先端部の径方向における断面形状を、外耳道の入口の形状に合わせて真円環状又は略真円環状としているため、音導管部の基端部側では、イヤホンの音出口から出力された音を集音し易くなり、音導管部の先端部側では、該先端部に接続されている遮蔽部が外耳道の入口側の内周面全周に亘って密着し易くなる。
【００１９】
従って、前記インイヤー型イヤホン用のカバーでは、イヤホンの音出口から出力された音を外耳道の外部に漏らさずに伝える効果が高まる。
【発明の効果】
【００２０】
以上のように、本発明のインイヤー型イヤホン用のカバーは、着用者の外耳道の入口側の内周面との密着性を高めて低音を強調することができるという優れた効果を奏し得る。
【図面の簡単な説明】
【００２１】
【図１】図１は、本発明の一実施形態に係るイヤホンカバー及びイヤホンの正面図である。
【図２】図２は、同実施形態に係るイヤホンカバー及びイヤホンの正面拡大図である。
【図３】図３は、同実施形態に係るイヤホンカバー及びイヤホンの平面図である。
【図４】図４は、同実施形態に係るイヤホンカバーの部分断面図である。
【図５】図５において、（ａ）はイヤホンカバーの内側面図であり、（ｂ）は図３のＶ−Ｖ線の断面図である。
【図６】図６は、同実施形態に係るイヤホンカバーを装着したイヤホンの使用状態の説明図である。
【発明を実施するための形態】
【００２２】
以下、本発明の一実施形態にかかるインイヤー型イヤホン用のカバー（以下、イヤホンカバーと称する）について、添付図面を参照しつつ説明する。
【００２３】
イヤホンカバーは、図１に示すように、インイヤー型イヤホンＥの内側に被せて装着するように構成されている。
【００２４】
本実施形態では、図４に示すように、ハウジングＥ１を部分的に開口させることで形成した音出口ＳＨから音を出力するインイヤー型イヤホンＥ（以下、イヤホンＥと称する）にイヤホンカバー１を装着することを前提として以下の説明を行うこととする。
【００２５】
また、イヤホンＥのハウジングＥ１には、耳に装着した状態（耳甲腔に嵌め込んだ状態）において、耳側に配置される内表面Ｅ１０と、耳の外部に露出する外表面Ｅ１１とが含まれている。
【００２６】
なお、イヤホンカバー１は、左用のイヤホンＥに装着するものと、右用のイヤホンＥに装着するものとで左右対称の形状となっている点以外は、同様の構成となるため、本実施形態では、図２に示すように、左用のイヤホンＥに装着するイヤホンカバー１について説明を行うこととする。
【００２７】
本実施形態に係るイヤホンカバー１は、図３に示すように、ハウジングＥ１に被せる本体部２と、柔軟性を有する筒状の遮蔽部３とを備えている。
【００２８】
なお、図３には、イヤホンＥ及びイヤホンカバー１の平面図を図示しているが、紙面上方側をイヤホンＥの装着者の前方側とし、紙面下方側をイヤホンＥの装着者の後方側としている。すなわち、図３の上下方向は、前後方向である。また、図４、図６も、同様である。
【００２９】
本体部２は、ハウジングＥ１に被せて装着する装着部２０と、該装着部２０から延出する音導管部２１であって、音出口ＳＨの音を外部に導くための音導路を構成する音導管部２１とを有する。
【００３０】
装着部２０は、柔軟性及び弾性を有しており、内面がハウジングＥ１の表面に密着するように構成されている。なお、装着部２０は、シリコン等の材料で構成されていればよい。
【００３１】
また、装着部２０には、図４に示すように、イヤホンＥの音出口ＳＨの配置位置に合わせて導入口Ｈ１が形成されており、イヤホンＥは、導入口Ｈ１を通じて音出口ＳＨを音導管部２１内に向けるようにして配置される。
【００３２】
さらに、装着部２０は、ハウジングＥ１を挿入するための挿入口Ｈ２が形成された挿入取付部２００と、該挿入取付部２００に一体的に形成されている被覆部２０１とを有する。
【００３３】
挿入取付部２００は、挿入口Ｈ２側になるにつれて内径が小さくなるように形成されている。すなわち、挿入取付部２００は、挿入口Ｈ２側に向かうにつれて先細りとなるように形成されている。
【００３４】
なお、本実施形態では、挿入取付部２００のうち、イヤホンカバー１を装着したイヤホンＥが着用者の耳に取り付けられている使用状態において、前方側に向けて配置される部分を前面部２００ａ、後方側に向けて配置される部分を後面部２００ｂと称して以下の説明を行うこととする。
【００３５】
被覆部２０１には、ハウジングＥ１の内表面Ｅ１０に密着する耳当面２０１ａが含まれている。耳当面２０１ａは、イヤホンＥが装着されている状態（すなわち、ハウジングＥ１が耳甲腔に嵌め込まれている状態）において、ハウジングＥ１内表面Ｅ１０と着用者の耳とに挟まれるようになっている。
【００３６】
音導管部２１は、筒状であり、装着部２０の導入口Ｈ１周り全周から延出するように形成されている。また、音導管部２１は、前後方向に対して内側に傾斜する方向に向かって装着部２０から延出している。なお、本実施形態では、音導管部２１の内部の空間によって、音出口ＳＨから出力された音を外部に導くための音導路Ｒが構成されており、音導管部２１の先端側の開口が外部に向けて開口している。
【００３７】
また、音導管部２１では、先端の形状と基端部側の径方向における断面形状とが異なっている。より具体的に説明すると、音導管部２１の先端の形状は、図５（ａ）に示すように、真円環状又は略真円環状となっている。これに対し、音導管部２１の基端部側の径方向における断面形状は、図５（ｂ）に示すように、楕円環状となっており、長軸が上下方向に沿って延び、短軸が前後方向に沿って延びている。
【００３８】
なお、音導管部２１は、基端から先端にかけて徐々に断面形状が変化するように構成されており、本実施形態では、基端側から先端側になるにつれて徐々に断面形状が真円環状（又は略真円環状）に近付くように構成されている。
【００３９】
さらに、本実施形態に係る音導管部２１には、イヤホンＥが装着されている状態において前方側に位置する前側壁部２１０と、イヤホンＥが装着されている状態において後方側に位置する後側壁部２１１とが含まれている。
【００４０】
前側壁部２１０は、ハウジングＥ１の外表面Ｅ１１側から導入口Ｈ１の前方を横切るようにして装着部２０から延出している。すなわち、前側壁部２１０は、平面視において、基端と先端とを通る仮想直線が前記前後方向に対して傾斜するように（左右方向に傾斜するように）形成されている。
【００４１】
また、前側壁部２１０は、平面視においては、前方側（音導管部２１の径方向外方）に向けて僅かに膨らむように緩やかに湾曲している。
【００４２】
後側壁部２１１は、基端側（音導管部２１の基端側）から先端側（音導管部２１の先端側）になるにつれてハウジングＥ１の外表面Ｅ１１から離れる方向に向かうように延出しており、後側壁部２１１の基端側の内面と、ハウジングＥ１の外表面Ｅ１１との間には、隙間が形成されるようになっている。
【００４３】
また、後側壁部２１１は、平面視において、基端と先端とを通る仮想直線が前記前後方向に対して傾斜するように（左右方向に傾斜するように）形成されており、また、平面視においては、前方側（音導管部２１の径方向内方）に向けて凹状となるように湾曲している。
【００４４】
遮蔽部３は、筒状であり、軸線方向（遮蔽部３の軸線方向）における先端側が、該軸線方向における基端側よりも細くなるテーパー形状となっている。
【００４５】
遮蔽部３の内部には、音導管部２１が入り込んでいる。すなわち、遮蔽部３は、内部に音導路Ｒが位置するように形成されている。さらに、遮蔽部３の先端は音導管部２１の先端部側に位置し、遮蔽部３の基端は音導管部２１の基端部側に位置している。そして、本実施形態では、遮蔽部３の先端部の内周面全体が、音導管部２１の先端部の外周面全体に接合されている。
【００４６】
そのため、遮蔽部３の内周面と、遮蔽部３の外周面との間には、空間が形成されるようになっている。
【００４７】
本実施形態に係るイヤホンカバー１は、以上の通りである。続いて、本実施形態に係るイヤホンカバー１の使い方について説明する。
【００４８】
イヤホンカバー１を使用する場合は、まず、装着部２０をハウジングＥ１に被せる。本実施形態では、導入口Ｈ１を通じて音出口ＳＨ側から順にハウジングＥ１を装着部２０内に挿入し、挿入取付部２００の位置をハウジングＥ１の外表面Ｅ１１に合わせ、被覆部２０１の耳当面２０１ａの位置をハウジングＥ１の内表面Ｅ１０に合わせ、さらに、イヤホンＥの音出口ＳＨの位置を導入口Ｈ１に合わせる。
【００４９】
このようにして、イヤホンカバー１がイヤホンＥに装着される。
【００５０】
イヤホンカバー１が装着されているイヤホンＥを耳（耳甲腔）に嵌め込むと、図６に示すように、挿入取付部２００の前面部２００ａと後面部２００ｂとが前後に並ぶ。
【００５１】
そして、音導管部２１が外耳道の入口内に押し込まれると、遮蔽部３の外面が外耳道の入口の内周面全周に亘って密接し、該入口内への音導管部２１の押し込み量が増加するにつれて、遮蔽部３はテーパー角が小さくなるように変形する。
【００５２】
また、耳甲腔にイヤホンＥを嵌め込む際、前側壁部２１０が遮蔽部３越しに耳甲腔の内面（前方側の内面）に押し付けられると、遮蔽部３が前側壁部２１０に接近するように変形するとともに、前側壁部２１０が後方側に撓むように変形する。
【００５３】
耳甲腔にイヤホンＥを嵌め込んだ状態において、耳当面２０１ａは、耳甲腔の内面に対向するように配置されており、後側壁部２１１は、耳甲腔内から外耳道の入口に向かって延びるように変形する。
【００５４】
なお、後側壁部２１１は、遮蔽部３越しに耳甲腔の内面に押し付けられると、基端部側がハウジングＥ１の内表面Ｅ１０に接近するように変形するが、前方側（音導管部２１の径方向内方）に向けて凹状となるように湾曲しているため、先端部側は、外耳道の入口に向かって延びた姿勢となる。
【００５５】
以上のように、本実施形態に係るイヤホンカバー１によれば、音導路Ｒを構成する音導管部２１がテーパー形状の遮蔽部３内を通るように構成されているため、イヤホンカバー１が装着されたイヤホンＥのハウジングＥ１を耳甲腔に嵌め込んで音導管部２１の先端を外耳道に向けると、遮蔽部３の先端部側も外耳道に向けて配置される。
【００５６】
また、遮蔽部３は、先端部側が基端部側よりも細くなるテーパー形状であるため、音導管部２１の先端が外耳道の入口内に押し込まれると、遮蔽部３の外面が外耳道の入口側の内周面全周に亘って密着する。
【００５７】
このようにすると、音出口ＳＨから出力された音が、外耳道の入口側の内周面全周に密着している遮蔽部３内の音導路Ｒ（音導管部２１の内部）を通って外耳道内に伝わるため、低音が外耳道の外部に漏れてしまうことを抑えることができる。
【００５８】
従って、本実施形態に係るイヤホンカバー１は、着用者の外耳道の入口側の内周面との密着性を高めて低音を強調することができるという優れた効果を奏し得る。
【００５９】
また、本実施形態に係るイヤホンカバー１では、音導管部２１が、平面誌においては、前後方向に対して内側に傾斜する方向に向かって装着部２０から延出しているため、耳甲腔にイヤホンＥのハウジングＥ１を嵌め込んだ際に、音導管部２１の先端（すなわち、音導路Ｒの開口）が外耳道の入口と対応する位置に配置され易くなる。
【００６０】
さらに、本実施形態では、音導管部２１が管状であり且つ装着部２０の導入口Ｈ１周り全周から延出するように形成されているため、装着部２０をハウジングＥ１に被せて装着した状態においては、音導管部２１がハウジングＥ１の表面から突出するように配置されるため、該音導管部２１の内部が空洞になる。
【００６１】
そのため、イヤホンＥのハウジングＥ１を耳甲腔に嵌め込んだ状態で音導管部２１の先端を外耳道に向ける際に、音導管部２１の形状を変形させ易くすることができ、これにより、遮蔽部３を外耳道の入口側の内周面全周に亘って密着させ易くなる。
【００６２】
また、遮蔽部３内には、音導管部２１が挿入されているが、遮蔽部３は、上述のように、先端側が基端側よりも細くなるテーパー形状となっているため、該遮蔽部３の内周面と音導管部２１の外周面との間には、空間が形成されている。従って、遮蔽部３の形状が耳甲腔の内面の形状に対応して変形し易くなる。
【００６３】
さらに、イヤホンＥのハウジングＥ１を耳甲腔に嵌め込んだ状態において前方側に配置される前側壁部２１０は、平面視においては前方側（音導管部２１の径方向外方）に向けて僅かに膨らむように緩やかに湾曲している、すなわち、略直線状に形成されている。そのため、外耳道の入口内への音導管部２１の押し込み時に前側壁部２１０が該外耳道から離れ難くなるため、音導管部２１の先端の位置が外耳道の入口からずれてしまうことを抑えることができる。
【００６４】
また、後側壁部２１１は、基端側（音導管部２１の基端側）から先端側（音導管部２１の先端側）になるにつれてハウジングＥ１の外表面Ｅ１１から離れる方向に向かうように延出しているため、後側壁部２１１の基端側の内面とハウジングＥ１の外表面Ｅ１１との間には、隙間が形成されている。
【００６５】
そのため、後側壁部２１１は、全体が変形し易くなっているため、イヤホンＥのハウジングＥ１を耳甲腔に嵌め込む際に、耳甲腔の内面の形状や、外耳道の入口の形状や位置に応じて音導管部２１の向き（音導路Ｒの開口の向き）を調整し易くすることができる。
【００６６】
このように、本実施形態に係るイヤホンカバー１は、音導管部２１の向きが外耳道の入口に合い易くなる分、遮蔽部３が外耳道の入口の内周面に密接し易くなる。
【００６７】
さらに、本実施形態に係るイヤホンカバー１は、前側壁部２１０がハウジングＥ１の外表面Ｅ１１側から導入口Ｈ１の前方を横切るようにして装着部２０から延出しているため、音出口ＳＨが外耳道の入口からずれた位置に配置されていても、音出口ＳＨから出力された音を前側壁部２１０に反射させて外耳道内に伝えることができる。
【００６８】
また、音導管部２１の基端部の径方向における断面形状を楕円環状とし、音導管部２１の先端部の径方向における断面形状を外耳道の入口の形状に合わせて真円環状又は略真円環状としているため、音導管部２１の基端部側では、イヤホンＥの音出口ＳＨから出力された音を集音し易くなり、音導管部２１の先端部側では、該先端部に接続されている遮蔽部３が外耳道の入口側の内周面全周に亘って密着し易くなる。
【００６９】
従って、本実施形態に係るイヤホンカバー１は、イヤホンＥの音出口ＳＨから出力された音を外耳道の外部に漏らさずに伝える効果が高まる。
【００７０】
なお、本発明のイヤホンカバーは、上記一実施形態に限定されるものではなく、本発明の要旨を逸脱しない範囲において種々変更を行うことは勿論である。
【００７１】
上記実施形態において、遮蔽部３は、音導管部２１を介して装着部２０に接続されていたが、例えば、音導路Ｒを装着部２０で構成する場合は、遮蔽部３が装着部２０に直接的に接続されていてもよい。
【００７２】
また、上記実施形態において、遮蔽部３は、音導管部２１を介して装着部２０に接続されていたが、例えば、音導路Ｒを装着部２０で構成する場合は、遮蔽部３が装着部２０に直接的に接続されていてもよい。
【００７３】
上記実施形態では、遮蔽部３の先端と、音導管部２１の先端とが互いに接合されていたが、この構成に限定されない。例えば、遮蔽部３の先端は、音導管部２１の先端から音導管部２１の基端側にずれた位置に接合されていてもよい。
【符号の説明】
【００７４】
１…イヤホンカバー、２…本体部、３…遮蔽部、２０…装着部、２１…音導管部、２００…挿入取付部、２００ａ…前面部、２００ｂ…後面部、２０１…被覆部、２０１ａ…耳当面、２１０…前側壁部、２１１…後側壁部、Ｅ…イヤホン、Ｅ１…ハウジング、Ｅ１０…内表面、Ｅ１１…外表面、Ｈ１…導入口、Ｈ２…挿入口、Ｒ…音導路、ＳＨ…音出口
【図１】
2018207449.tif 000003
【図２】
2018207449.tif 000004
【図３】
2018207449.tif 000005
【図４】
2018207449.tif 000006
【図５】
2018207449.tif 000007
【図６】
2018207449.tif 000008
【手続補正書】
【提出日】平成30年10月23日(2018.10.23)
【手続補正１】
【補正対象書類名】特許請求の範囲
【補正対象項目名】全文
【補正方法】変更
【補正の内容】
【特許請求の範囲】
【請求項１】
音を出力すべく表面で開口する音出口が形成されたハウジングを備えたインイヤー型イヤホン用のカバーであって、前記ハウジングに被せる本体部と、柔軟性を有する筒状の遮蔽部とを備え、前記本体部には、前記音出口から出力された音を外部に導くための音導路が形成され、前記遮蔽部は、内部に前記音導路が位置するように形成された筒状であり、且つ軸線方向における先端部側が軸線方向における基端部側よりも細くなるテーパー形状であり、前記本体部は、前記ハウジングに被せて装着する装着部であって、前記イヤホンの音出口の配置位置に合わせて導入口が形成された装着部と、該装着部の導入口回り全周から延出する管状の音導管部であって、前記音導路を構成する音導管部とを有し、前記音導管部は、前記遮蔽部内を通るように形成され、前記音導管部は、イヤホンが装着されている状態において前方側に位置する前側壁部と、イヤホンが装着されている状態において後方側に位置する後側壁部とを含み、前記前側壁部は、平面視において、前記前方側に向けて膨らむように湾曲し、前記後側壁部は、平面視において、前記前方側に向けて凹状となるように湾曲しているインイヤー型イヤホン用のカバー。
【請求項２】
前記音導管部の基端部は、径方向における断面形状が楕円環状であり、前記音導管部の先端部は、径方向における断面形状が真円環状又は略真円環状であり、前記遮蔽部の前記軸線方向における先端が前記音導管部の先端部側に接続されている請求項１に記載のインイヤー型イヤホン用のカバー。
【手続補正２】
【補正対象書類名】明細書
【補正対象項目名】００１０
【補正方法】変更
【補正の内容】
【００１０】
本発明のインイヤー型イヤホン用のカバーは、音を出力すべく表面で開口する音出口が形成されたハウジングを備えたインイヤー型イヤホン用のカバーであって、前記ハウジングに被せる本体部と、柔軟性を有する筒状の遮蔽部とを備え、前記本体部には、前記音出口から出力された音を外部に導くための音導路が形成され、前記遮蔽部は、内部に前記音導路が位置するように形成された筒状であり、且つ軸線方向における先端部側が軸線方向における基端部側よりも細くなるテーパー形状であり、前記本体部は、前記ハウジングに被せて装着する装着部であって、前記イヤホンの音出口の配置位置に合わせて導入口が形成された装着部と、該装着部の導入口回り全周から延出する管状の音導管部であって、前記音導路を構成する音導管部とを有し、前記音導管部は、前記遮蔽部内を通るように形成され、前記音導管部は、イヤホンが装着されている状態において前方側に位置する前側壁部と、イヤホンが装着されている状態において後方側に位置する後側壁部とを含み、前記前側壁部は、平面視において、前記前方側に向けて膨らむように湾曲し前記後側壁部は、平面視において、前記前方側に向けて凹状となるように湾曲している。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】変更
【補正の内容】
【００１５】
さらに、かかる構成によれば、装着部をハウジングに被せて装着すると、音導管部がハウジングの表面から突出するように配置されるため、該音導管部の内部が空洞になる。